(57)【要約】      （修正有）【課題】自衛消防活動を支援するための機能を一覧するためのメニューの操作性を向上させる。【解決手段】携帯端末は、自衛消防活動を支援するための機能を一覧するためのメニューであって、平時と有事とで選択可能な機能が変更されるメニューを表示させる表示制御手段を備える。表示制御手段は、メニューを構成する機能のうち、利用者により選択された機能を判別可能なように表示させる。【選択図】図５
2020116042.tif 000002
【特許請求の範囲】
【請求項１】
自衛消防活動を支援するための機能を一覧するためのメニューであって、平時と有事とで選択可能な機能が変更されるメニューを表示させる表示制御部を備える防災支援システム。
【請求項２】
前記表示制御部は、前記メニューを構成する機能のうち、利用者により選択された機能を判別可能なように表示させることを特徴とする請求項１に記載の防災支援システム。
【発明の詳細な説明】
【技術分野】
【０００１】
本発明は、自衛消防活動を支援するための情報を提供するためのシステムに関する。
【背景技術】
【０００２】
従来、火災や地震等の災害発生時に初期対応を行うために編成される組織として、自衛消防隊が知られている。特許文献１には、火災の発生を契機として自衛消防隊を編成し、各隊員の携帯端末に対して役割と作業内容を通知するための防災支援システムが記載されている。
【先行技術文献】
【特許文献】
【０００３】
【特許文献１】特開２０１５−１０８９２３号公報
【発明の概要】
【発明が解決しようとする課題】
【０００４】
携帯端末を使用する自衛消防隊員にとって必要な機能は平時と有事とで異なる。しかし、従来の防災支援システムでは、平時と有事の違いに着目して機能の選択を支援するための工夫はなされていなかった。
【０００５】
本発明は、このような事情に鑑みてなされたものであり、自衛消防活動を支援するための機能を一覧するためのメニューの操作性を向上させることを目的とする。
【課題を解決するための手段】
【０００６】
上記の課題を解決するため、本発明に係る防災支援システムは、自衛消防活動を支援するための機能を一覧するためのメニューであって、平時と有事とで選択可能な機能が変更されるメニューを表示させる表示制御部を備える。
【０００７】
好ましい態様において、前記表示制御部は、前記メニューを構成する機能のうち、利用者により選択された機能を判別可能なように表示させる。
【発明の効果】
【０００８】
本発明に係る防災支援システムによれば、自衛消防活動を支援するための機能を一覧するためのメニューの操作性を向上させることができる。
【図面の簡単な説明】
【０００９】
【図１】防災システム１の構成の一例を示すブロック図
【図２】支援サーバ６の構成の一例を示すブロック図
【図３】携帯端末７の構成の一例を示すブロック図
【図４】活動情報画面の一例を示す図
【図５】メインメニューＫの一例を示す図
【図６】フロアマップ画面の一例を示す図
【図７】報告方法選択画面の一例を示す図
【図８】隊員一覧画面の一例を示す図
【図９】防災システム１の動作の一例を示すシーケンス図
【発明を実施するための形態】
【００１０】
１．実施形態
１−１．構成
本発明の一実施形態に係る防災システム１について図面を参照して説明する。図１は、この防災システム１の構成の一例を示すブロック図である。同図に示すように、防災システム１は、自動火災報知設備２と防災支援システム３を備える。
【００１１】
自動火災報知設備２は、防火対象物である建物に設置される設備であり、建物の各所に設置される煙感知器４と、建物の防災センタに設置されるＲ型の火災受信機５を備える。煙感知器４は、信号線を介して火災受信機５と接続され、周囲の煙濃度を測定して、測定した煙濃度を示すアナログ値を火災受信機５に送信する。火災受信機５は、ポーリング／セレクティング方式で各煙感知器４と信号の送受信を行い、イベントの発生を検出すると、発生したイベントの内容及び発生場所を通知するイベント信号を防災支援システム３に送信する。
【００１２】
このイベント信号により通知されるイベントには、受信機連動型のイベントと受信機非連動型のイベントが含まれる。受信機連動型のイベントには、注意、感知器発報、火災確定が含まれる。これらのイベントのうち、注意は、煙感知器４により測定された煙濃度が３％／ｍを超え、その継続時間（蓄積時間）が５秒を超えると、発生したと判定される。感知器発報は、煙感知器４により測定された煙濃度が１０％／ｍを超え、その継続時間（蓄積時間）が４０秒を超えると、発生したと判定される。火災確定は、感知器発報後、一定時間が経過するか、複数の煙感知器４について感知器発報が発生するか、図示せぬ発信機から発信機信号が受信されるか、又は火災受信機５において火災確定操作が行われると、発生したと判定される。一方、受信機非連動型のイベントには、手動操作が含まれる。この手動操作は、例えば、火災受信機５において所定の操作が行われると、発生したと判定される。この所定の操作の実行タイミングとしては、例えば、地震発生時が想定される。
【００１３】
次に、防災支援システム３は、建物内で活動する自衛消防隊を支援するためのシステムであり、図１に例示するように、支援サーバ６と、建物の在館者により携帯される携帯端末７と、建物の防災センタに設置される本部端末８を備える。本システムを構成する各装置は、インターネットやＬＡＮ等の通信回線９を介して相互に接続される。また、火災受信機５とも接続される。
【００１４】
図２は、支援サーバ６の構成の一例を示すブロック図である。同図に示す支援サーバ６は、ＣＰＵ等のプロセッサ６１と、ＤＲＡＭ等の揮発性メモリ６２と、フラッシュメモリ等の不揮発性メモリ６３と、ネットワークカード６４を備える。これらの構成要素のうち、不揮発性メモリ６３は、在館者による自衛消防活動を支援するための支援情報として、ユーザ情報、自衛消防隊体制情報、タスク情報、タスク割当情報、参加情報、報告情報、画像情報、フロアマップ情報、マニュアル情報を記憶する。これらの情報のうち、ユーザ情報は、携帯端末７の利用者の属性情報である。具体的には、各利用者について、ユーザＩＤ、氏名、性別、年齢又は年代、所属部署、役職、顔画像ＩＤ、電話番号、登録用メールアドレス、通知用メールアドレス、参照権限に関する情報を有する。自衛消防隊体制情報は、自衛消防隊の編成表である。具体的には、携帯端末７の各利用者について、ユーザＩＤ、所属隊、班（役割）、担当エリアについての情報を有する。タスク情報は、自衛消防隊により実行される個々のタスクを示す情報である。タスク割当情報は、個々のタスクについてその実行者と実行タイミングと実行順序（タスクフロー）を示す情報である。参加情報は、携帯端末７の利用者の自衛消防活動への参加の可否を示す情報である。具体的には、各利用者について、ユーザＩＤ及び参加可否情報を有する。報告情報は、携帯端末７から支援サーバ６に送信される各種の報告情報である。具体的には、各報告について、報告ＩＤ、送信日時（撮影日時）、報告種別、タスクＩＤ、報告者のユーザＩＤ、メッセージ、報告写真の画像ＩＤ、報告のステータス、報告写真の公開有無についての情報を有する。画像情報は、携帯端末７の利用者の顔画像の情報と、報告写真の画像情報である。フロアマップ情報は、建物に設置される防災設備の配置図の情報である。マニュアル情報は、建物に設置される各種の防災設備のマニュアルである。
【００１５】
支援サーバ６は、図２に例示するように、イベント通知部６１１、報告受付部６１２、同期部６１３の各機能を備える。これらの機能は、不揮発性メモリ６３に記憶される防災支援プログラムがプロセッサ６１により実行されることにより実現される。
【００１６】
イベント通知部６１１は、火災受信機５からイベント信号が受信されると、受信されたイベント信号により示されるイベント内容と発生場所を通知するイベント情報を、プッシュ通知として携帯端末７に送信する。
【００１７】
報告受付部６１２は、携帯端末７から送信される各種の報告を受け付ける。具体的には、参加可否報告、タスク報告、ＳＯＳ報告、写真報告を受け付ける。これらの報告のうち、参加可否報告を受け付けると、参加情報を不揮発性メモリ６３に記憶し、タスク報告、ＳＯＳ報告又は写真報告を受け付けると、受け付けた報告について報告情報を不揮発性メモリ６３に記憶する。
【００１８】
同期部６１３は、携帯端末７に記憶される支援情報を、自機の不揮発性メモリ６３に記憶される支援情報に同期させる。この支援情報の同期は、支援情報の更新を契機として行われ、同期部６１３は、支援情報が更新されると、同期通知を各携帯端末７に送信する。そして、携帯端末７から同期通知に対する応答を受信すると、更新された支援情報を携帯端末７に送信する。ただし、携帯端末７に対する報告写真の同期については、自機に記憶される報告写真のうち、本部端末８の利用者により選択されたものについてのみ行う。
以上が、支援サーバ６についての説明である。
【００１９】
次に、携帯端末７について説明する。携帯端末７は、スマートフォン、携帯電話機、タブレット端末、ウェアラブル端末等の通信端末である。図３は、この携帯端末７の構成の一例を示すブロック図である。同図に示す携帯端末７は、ＣＰＵ等のプロセッサ７１と、ＤＲＡＭ等の揮発性メモリ７２と、フラッシュメモリ等の不揮発性メモリ７３と、ネットワークカード７４と、液晶ディスプレイ等のディスプレイ７５と、タッチパネル７６と、カメラ７７を備える。これらの構成要素のうち、不揮発性メモリ７３は、支援サーバ６と同様に、支援情報として、ユーザ情報、自衛消防隊体制情報、タスク情報、タスク割当情報、参加情報、報告情報、画像情報、マニュアル情報を記憶する。これらの情報の内容については上記の通りである。また、不揮発性メモリ７３は、支援サーバ６から受信されるイベント情報の履歴を記憶する。
【００２０】
この携帯端末７は、図３に例示するように、情報更新部７１１、表示制御部７１２、報告部７１３の各機能を備える。これらの機能は、不揮発性メモリ７３に記憶される防災支援プログラムがプロセッサ７１により実行されることにより実現される。
【００２１】
情報更新部７１１は、支援サーバ６から同期通知が受信されるか、または、利用者により支援情報同期機能の実行が指示されると、支援サーバ６において更新された支援情報を取得して、不揮発性メモリ７３に記憶する。
【００２２】
表示制御部７１２は、各種画面を生成して、ディスプレイ７５に表示させる。図４は、表示制御部７１２により表示される活動情報画面の一例を示す図である。図４（ａ）は、平時に表示される活動情報画面を示し、図４（ｂ）は、有事に（言い換えると、いずれかのイベント情報受信後に）表示される活動情報画面を示す。表示制御部７１２は、ユーザ情報、自衛消防隊体制情報、タスク情報、タスク割当情報及び報告情報に基づいて、これらの活動情報画面を生成する。これらの活動情報画面のうち、平時に表示される活動情報画面は、ステータスバーＡと、メニューボタンＢと、更新ボタンＣと、利用者情報Ｄと、行動リストＥと、タスクフローＦ１と、バー画像Ｇと、アイコンタブＨ１〜Ｈ４を有する。一方、有事に表示される活動情報画面は、利用者情報Ｄ、行動リストＥ及びタスクフローＦ１に代えて、タスクフローＦ２と活動情報Ｊを有する。
【００２３】
これらの表示要素のうち、ステータスバーＡは、支援サーバ６からイベント情報が受信された場合に、受信されたイベント情報により示されるイベント内容と発生場所を表示するための表示領域である。メニューボタンＢは、メインメニューＫの表示を指示するためのボタンである。メインメニューＫについては後述する。更新ボタンＣは、表示画面の更新を指示するためのボタンである。利用者情報Ｄは、利用者の顔画像、担当エリア、班（役割）及び氏名を示す情報である。行動リストＥは、担当エリアと出火階との位置関係（エリア区分）を選択するためのプルダウンメニューである。タスクフローＦ１は、利用者の所属隊、役割、所定のイベント（感知器発報）、選択されたエリア区分に対応付けられたタスクであって、実行番号の降順に並べられたタスクの集合である。図４（ａ）に示す活動情報画面には、このタスクフローＦ１の一部が、スクロール可能なように表示されている。このタスクフローＦ１を参照することで、利用者は自身のタスクフローを確認することができる。バー画像Ｇは、利用者により選択された機能を判別可能とするために表示される画像である。図４に示す活動情報画面では、アイコンタブＨ１と隣接するように配置されており、活動情報表示機能が選択中であることを示している。タスクフローＦ２は、利用者の所属隊、役割、発生中のイベント、担当エリアと出火階との位置関係に対応付けられたタスクであって、実行番号の降順に並べられたタスクの集合である。図４（ｂ）に示す活動情報画面には、このタスクフローＦ２の一部が、三角形の戻るボタン及び進むボタンを用いて前後に切り替え可能なように表示されている。このタスクフローＦ２を参照することで、利用者は自身のタスクフローを確認することができる。活動情報Ｊは、各隊員から送信されたタスク報告のリストである。この活動情報Ｊを参照することで、利用者は各隊員の活動状況を確認することができる。アイコンタブＨ１〜Ｈ４は、主にメインメニューＫにおいて選択可能な機能のうち、特に使用頻度の高い機能について、その実行を指示するための表示要素である。アイコンタブＨ１〜Ｈ４は選択頻度が高いため、防災支援プログラムの実行中、常に同じ位置に表示される。
【００２４】
アイコンタブＨ１〜Ｈ４のうち、アイコンタブＨ１は、活動情報表示機能の実行を指示するための表示要素である。このアイコンタブＨ１が選択されると、表示制御部７１２は、上述した活動情報画面を生成し、ディスプレイ７５に表示させる。アイコンタブＨ２は、隊員情報表示機能の実行を指示するための表示要素である。このアイコンタブＨ２が選択されると、表示制御部７１２は、ユーザ情報、自衛消防隊体制情報、有事の参加情報及び画像情報に基づいて隊員一覧画面を生成し、ディスプレイ７５に表示させる。隊員一覧画面については後述する。アイコンタブＨ３は、フロアマップ表示機能の実行を指示するための表示要素である。このアイコンタブＨ３が選択されると、表示制御部７１２は、フロアマップ情報に基づいてフロアマップ画面を生成し、ディスプレイ７５に表示させる。フロアマップ画面については後述する。アイコンタブＨ４は、本部連絡機能の実行を指示するための表示要素である。このアイコンタブＨ４が選択されると、表示制御部７１２は、報告方法選択画面をディスプレイ７５に表示させる。報告方法選択画面については後述する。
【００２５】
以上説明した活動情報画面において利用者によりメニューボタンＢが選択されると、表示制御部７１２はメインメニューＫを同画面上に表示させる。
【００２６】
図５は、メインメニューＫの一例を示す図である。図５（ａ）は、平時に表示されるメインメニューＫ１を示し、図５（ｂ）は、有事に表示されるメインメニューＫ２を示す。いずれのメインメニューＫも、自衛消防活動を支援するための機能を一覧するためのスライドメニューである。しかし、両者は選択可能な機能が異なる。これは、平時と有事とで利用者にとって必要な機能が異なるからである。これら２つのメインメニューＫのうち、有事に表示されるメインメニューＫ２は、閉じるボタンＬと操作項目Ｍ１〜Ｍ１０を有する。一方、平時に表示されるメインメニューＫ１は、閉じるボタンＬと操作項目Ｍ１〜Ｍ２、Ｍ４〜Ｍ６、Ｍ８〜Ｍ１０を有する。この平時に表示されるメインメニューＫ１では、操作項目Ｍ３、Ｍ３１、Ｍ３２及びＭ７はグレーアウトされており、選択不能となっている。このように、選択不能な機能に関してグレーアウトにしておくことにより、利用者が選択可能な機能について視覚的に理解でき、選択不能な機能を無駄に操作しようとしたり、選択不能なことに混乱するようなことを防止できる。また、グレーアウトで機能を表示しておくことにより、状況に応じて使えるよう、機能があることを示しておくことができる。
【００２７】
操作項目Ｍ１は、フロアマップ表示機能の実行を指示するための表示要素である。この操作項目Ｍ１が選択されると、表示制御部７１２は、フロアマップ情報、タスク情報及びタスク割当情報に基づいてフロアマップ画面を生成し、ディスプレイ７５に表示させる。図６は、フロアマップ画面の一例を示す図である。図６（ａ）は、平時に表示されるフロアマップ画面を示し、図６（ｂ）は、有事に表示されるフロアマップ画面を示す。これら２つのフロアマップ画面のうち、平時に表示されるフロアマップ画面は、ステータスバーＡと、メニューボタンＢと、更新ボタンＣと、フロアマップＮと、バー画像Ｇと、アイコンタブＨ１〜Ｈ４を有する。一方、有事に表示されるフロアマップ画面は、さらにタスクフローＦ２を有する。これらの表示要素のうち、フロアマップＮは、建物に設置される防災設備の配置図である。このフロアマップＮを参照することで、利用者は防災設備の配置を確認することができる。このフロアマップＮを選択すると、当該マップ上に表示される各種防災設備のアイコンの表示／非表示を切り替えるためのトグルボタンが追加表示される。バー画像Ｇは、アイコンタブＨ３と隣接するように配置されており、フロアマップ表示機能が選択中であることを示している。
【００２８】
次に、操作項目Ｍ２は、通知一覧表示機能の実行を指示するための表示要素である。ここで通知一覧とは、データの同期依頼等の各種通知のリストである。この操作項目Ｍ２が選択されると、表示制御部７１２は、支援サーバ６から通知一覧画面（図示略）を取得して、ディスプレイ７５に表示させる。
【００２９】
次に、操作項目Ｍ３は、本部連絡機能の実行を指示するための表示要素である。この操作項目Ｍ３が選択されると、表示制御部７１２は、タスク情報及びタスク割当情報に基づいて報告方法選択画面を作成し、ディスプレイ７５に表示させる。図７は、報告方法選択画面の一例を示す図である。同図に示す報告方法選択画面は、ステータスバーＡと、メニューボタンＢと、更新ボタンＣと、タスクフローＦ２と、報告方法選択ボタンＰ１及びＰ２と、バー画像Ｇと、アイコンタブＨ１〜Ｈ４を有する。これらの表示要素のうち、報告方法選択ボタンＰ１は、ＳＯＳ報告機能の実行を指示するためのボタンである。この報告方法選択ボタンＰ１が選択されると、表示制御部７１２は、ＳＯＳメッセージ送信画面（図示略）をディスプレイ７５に表示させる。表示されるＳＯＳメッセージ送信画面においてメッセージが入力又は選択され、送信ボタンが選択されると、入力又は選択されたメッセージを含むＳＯＳ報告が支援サーバ６に対して送信される。すなわち利用者は、本部端末８の利用者に対して救援を要請することができる。報告方法選択ボタンＰ２は、写真報告機能の実行を指示するためのボタンである。この報告方法選択ボタンＰ２が選択されると、表示制御部７１２はカメラ７７を起動するとともに、撮影画面（図示略）をディスプレイ７５に表示させる。表示される撮影画面を用いて写真が撮影され、送信ボタンが選択されると、撮影写真の画像情報を含む写真報告が支援サーバ６に対して送信される。すなわち利用者は、本部端末８の利用者に対して現場の状況を視覚的に報告することができる。バー画像Ｇは、アイコンタブＨ４と隣接するように配置されており、本部連絡機能が選択中であることを示している。
【００３０】
次に、操作項目Ｍ３１は、ＳＯＳ報告機能の実行を指示するための表示要素である。この操作項目Ｍ３１が選択されると、表示制御部７１２は、上述したＳＯＳメッセージ送信画面をディスプレイ７５に表示させる。
【００３１】
操作項目Ｍ３２は、写真報告機能の実行を指示するための表示要素である。この操作項目Ｍ３２が選択されると、表示制御部７１２はカメラ７７を起動するとともに、上述した撮影画面をディスプレイ７５に表示させる。
【００３２】
操作項目Ｍ４は、掲示板機能の実行を指示するための表示要素である。この操作項目Ｍ４が選択されると、表示制御部７１２は、支援サーバ６から掲示板閲覧画面（図示略）を取得して、ディスプレイ７５に表示させる。この掲示板機能を利用することで、自衛消防隊の隊員間で情報共有を図ることができる。
【００３３】
操作項目Ｍ５は、隊員情報表示機能の実行を指示するための表示要素である。この操作項目Ｍ５が選択されると、表示制御部７１２は、ユーザ情報、自衛消防隊体制情報、有事の参加情報、タスク情報、タスク割当情報及び画像情報に基づいて隊員一覧画面を生成し、ディスプレイ７５に表示させる。図８は、隊員一覧画面の一例を示す図である。図８（ａ）は、平時に表示される隊員一覧画面を示し、図８（ｂ）は、有事に表示される隊員一覧画面を示す。これら２つの隊員一覧画面のうち、平時に表示される隊員一覧画面は、ステータスバーＡと、メニューボタンＢと、更新ボタンＣと、隊員リストＱと、バー画像Ｇと、アイコンタブＨ１〜Ｈ４を有する。一方、有事に表示されるフロアマップ画面は、さらにタスクフローＦ２を有する。これらの表示要素のうち、隊員リストＱは、利用者が所属する隊の隊員のリストである。この隊員リストＱは、各隊員について、氏名、役割、顔写真、有事の参加有無を示す。この隊員リストＱを参照することで利用者は、自身が所属する隊の隊員の情報を確認することができる。バー画像Ｇは、アイコンタブＨ２と隣接するように配置されており、隊員情報表示機能が選択中であることを示している。
【００３４】
なお、表示制御部７１２は、図８（ｂ）に示す隊員リストＱにおいて、参加可能な隊員のみを表示するようにしてもよい。例えば、隊員リストＱのタイトル部分に全員表示ボタンと参加者表示ボタンの２つのボタン（例えば、ラジオボタンやチェックボックス）を設け、前者のボタンが選択された場合には隊員全員を表示し、後者が選択された場合には参加可能な隊員のみを表示するようにしてもよい。
【００３５】
次に、操作項目Ｍ６は、マニュアル表示機能の実行を指示するための表示要素である。この操作項目Ｍ６が選択されると、表示制御部７１２は、マニュアル情報に基づいてマニュアル一覧画面（図示略）を生成し、ディスプレイ７５に表示させる。表示されるマニュアル一覧画面はマニュアルリストを有し、当該リストからマニュアルが選択されると、表示制御部７１２は選択されたマニュアルの内容をディスプレイ７５に表示させる。このマニュアル表示機能を利用することで、利用者は防災設備の使用方法を確認することができる。
【００３６】
操作項目Ｍ７は、報告写真閲覧機能の実行を指示するための表示要素である。この操作項目Ｍ７が選択されると、表示制御部７１２は、報告情報及び画像情報に基づいて報告写真一覧画面（図示略）を生成し、ディスプレイ７５に表示させる。表示される報告写真一覧画面は、報告写真のサムネイルリストを有し、当該リストから報告写真が選択されると、表示制御部７１２は選択された報告写真をディスプレイ７５に拡大表示させる。
【００３７】
操作項目Ｍ８は、防災支援プログラムの設定機能の実行を指示するための表示要素である。この操作項目Ｍ８が選択されると、表示制御部７１２は設定画面（図示略）をディスプレイ７５に表示させる。
【００３８】
操作項目Ｍ９は、支援情報同期機能の実行を指示するための表示要素である。この操作項目Ｍ９が選択されると、情報更新部７１１は、支援サーバ６において更新された支援情報を取得して、不揮発性メモリ７３に記憶する。
【００３９】
操作項目Ｍ１０は、ヘルプ機能の実行を指示するための表示要素である。この操作項目Ｍ１０が選択されると、表示制御部７１２はヘルプ画面（図示略）をディスプレイ７５に表示させる。
以上が、メインメニューＫについての説明である。
【００４０】
表示制御部７１２は、さらに、支援サーバ６からイベント情報が受信されると、自衛消防活動への参加の可否を確認するための参加確認画面（図示略）を生成して、ディスプレイ７５に表示させる。表示される参加確認画面には、自衛消防活動への参加の可否を確認するための参加ボタンと不参加ボタンが示される。これらのボタンのいずれかが選択されると、選択されたボタンに応じた参加可否情報が支援サーバ６に送信され、支援サーバ６では、受信した参加可否情報に基づいて参加情報が更新される。
【００４１】
次に、報告部７１３は、各種の報告を、利用者のユーザＩＤとともに支援サーバ６に送信する。具体的には、参加可否報告、タスク報告、ＳＯＳ報告又は写真報告を送信する。これらの報告のうち、参加可否報告は、上記の参加確認画面において参加ボタン又は不参加ボタンが選択されたことを契機として送信される。タスク報告は、図４（ｂ）等に例示されるタスクフローＦ２の報告ボタンが選択されたことを契機として送信される。その際に送信されるタスク報告には、実行されたタスクのタスクＩＤと、選択された報告ボタンに対応するタスク回答（又はタスク否定回答）が含まれる。ＳＯＳ報告は、ＳＯＳメッセージ送信画面において、メッセージが入力又は選択され、送信ボタンが選択されることを契機として送信される。写真報告は、撮影画面を用いて写真が撮影され、送信ボタンが選択されることを契機として送信される。
以上が、携帯端末７についての説明である。
【００４２】
次に、本部端末８について説明する。本部端末８は、据え置き型ＰＣ等の通信端末である。本部端末８は、利用者の操作に応じて支援サーバ６から支援情報を取得して、ディスプレイ８５に表示させる。
【００４３】
１−２．動作
次に、イベント発生時の防災システム１の動作について、図９に示すシーケンス図を参照して説明する。
【００４４】
防火対象物の建物に設置された火災受信機５は、イベントの発生を検出すると（ステップＳ１）、発生したイベントの内容及び発生場所を通知するイベント信号を支援サーバ６に送信する（ステップＳ２）。支援サーバ６のイベント通知部６１１は、このイベント信号が受信されると、受信されたイベント信号により示されるイベント内容と発生場所を通知するイベント情報を、プッシュ通知として携帯端末７に送信する（ステップＳ３）。このイベント情報が受信された携帯端末７において、防災支援プログラムが起動していない場合には、同プログラムが起動される（ステップＳ４）。そして、同プログラムの起動後、携帯端末７の表示制御部７１２は、自衛消防活動への参加の可否を確認するための参加確認画面を生成して、ディスプレイ７５に表示させる（ステップＳ５）。表示された参加確認画面において、参加ボタンと不参加ボタンのいずれかが選択されると、選択されたボタンに応じた参加可否情報が支援サーバ６に送信され（ステップＳ６）、支援サーバ６では、受信した参加可否情報に基づいて参加情報が更新される（ステップＳ７）。また、携帯端末７の表示制御部７１２は、ユーザ情報、自衛消防隊体制情報、タスク情報、タスク割当情報及び報告情報に基づいて、活動情報画面（図４（ｂ）参照）を生成し、ディスプレイ７５に表示させる（ステップＳ８）。この活動情報画面を参照することで、利用者は自身のタスクフローと、各隊員の活動状況を確認することができる。
【００４５】
表示中の活動情報画面において、携帯端末７の利用者によりメニューボタンＢが選択されると、表示制御部７１２はメインメニューＫ２（図５（ｂ）参照）を同画面上に表示させる（ステップＳ９）。このメインメニューＫ２において、例えば操作項目Ｍ１が選択されると、表示制御部７１２は、フロアマップ情報、タスク情報及びタスク割当情報に基づいてフロアマップ画面（図６（ｂ）参照）を生成し、ディスプレイ７５に表示させる（ステップＳ１０）。このフロアマップ画面を参照することで、利用者は防災設備の配置を確認することができる。
【００４６】
表示中のフロアマップ画面において、例えばアイコンタブＨ２が選択されると、表示制御部７１２は、ユーザ情報、自衛消防隊体制情報、参加情報、タスク情報、タスク割当情報及び画像情報に基づいて隊員一覧画面（図８（ｂ）参照）を生成し、ディスプレイ７５に表示させる（ステップＳ１１）。この隊員一覧画面を参照することで、利用者は、自身が所属する隊の隊員の情報を確認することができる。
以上が、イベント発生時の防災システム１の動作についての説明である。
【００４７】
以上説明した防災システム１によれば、携帯端末７において選択頻度の高いアイコンタブＨ１〜Ｈ４が、防災支援プログラムの実行中、固定的に表示される。そのため、利用者にとって選択が容易である。また、選択されたアイコンタブＨにはバー画像Ｇが付されるため、利用者にとって選択中の機能の判別が容易である。また、メインメニューＫにおいて、利用者のニーズに合わせて平時と有事とで選択可能な機能を異ならせているため、利用者にとって所望の機能の選択が容易である。
【００４８】
２．変形例
上記の実施形態は、下記のように変形してもよい。なお、下記の変形例は互いに組み合わせてもよい。
【００４９】
２−１．変形例１
注意と感知器発報の判定基準は、上記の例に限られない。判定基準となる煙濃度と蓄積時間の閾値は、煙感知器４の設置状況に応じて適宜設定されてよい。ただし、注意の閾値は、感知器発報の閾値よりも低いものとする。
【００５０】
２−２．変形例２
自動火災報知設備２を構成する感知器の種類は、煙感知器に限られない。煙感知器に代えて、熱感知器や炎感知器が採用されてもよい。
【００５１】
２−３．変形例３
図５に例示するメインメニューＫは、左右方向に開閉するスライドメニューに限られず、ドロップダウンメニューやポップアップメニューであってもよい。または、メニューバーとして固定的に表示されてもよい。メニューバーとして表示する場合、表示領域を節約するために、操作項目Ｍ内のアイコンのみを表示するようにしてもよい。
【００５２】
２−４．変形例４
図５（ａ）に例示するメインメニューＫ１では、図５（ｂ）に例示するメインメニューＫ２と比較して操作項目Ｍ３等がグレーアウトされ、選択不能となっているが、選択不能であることを示す表示方法はこれに限られない。例えば、選択可能な操作項目Ｍとサイズや色を異ならせたり、何らかのマークを付したりすることで、選択不能であることを示すようにしてもよい。または、選択不能の操作項目Ｍの表示を完全に省略してもよい。
【００５３】
２−５．変形例５
図５に例示するメインメニューＫ１及びＫ２では、有事の方が平時よりも選択可能な操作項目Ｍの数が多くなっているが、必ずしも有事の方が多くなくてもよい。平時の方が多くてもよいし、平時と有事とで選択可能な操作項目Ｍの数を同数とし、選択可能な機能の種類を異ならせるようにしてもよい。
【００５４】
２−６．変形例６
図４等に例示するアイコンタブＨの数、配置、配列、選択されることにより実行される機能は、図示の例に限られない。個々の携帯端末７において、設定機能を利用して適宜変更されてよい。特に配列と機能については、利用者の使用頻度に応じて動的に変更するようにしてもよい。例えば、使用頻度の高い上位４つの機能を、使用頻度の順にアイコンタブＨに割り当てるようにしてもよい。
【００５５】
２−７．変形例７
アイコンタブＨの数を、平時と有事とで異ならせてもよい。図５に例示するメインメニューＫ１及びＫ２では、有事の方が平時よりも選択可能な操作項目Ｍの数が多いことから、有事に表示されるアイコンタブＨの数を平時よりも多くしてもよい。
【００５６】
２−８．変形例８
アイコンタブＨも、メインメニューＫと同様に、平時と有事とで選択可能な機能を異ならせるようにしてもよい。具体的には、平時においてアイコンタブＨ４をグレーアウトして、選択不能としてもよい。このようにすることで、利用者にとって所望の機能の選択がさらに容易になる。なお、選択不能であることを示す表示方法がグレーアウトに限られないことは上記の通りである。また、選択可能な機能は平時と有事で異ならせるだけでなく、機能に応じて、点検や注意状態等その他のモード等で選択可能な機能を切り替えてもよい。
【００５７】
２−９．変形例９
図６に例示するフロアマップ画面等では、バー画像Ｇを付することにより選択中の機能を判別可能にしているが、選択中の機能を判別可能にする方法はこれに限られない。例えば、選択されたアイコンタブＨにバー以外のマークを付したり、選択されたアイコンタブＨの色や濃度を変えたり、点滅表示させたりして、選択中の機能を判別可能にしてもよい。
【００５８】
２−１０．変形例１０
支援サーバ６が備える機能を、火災受信機５又は総合操作盤に備えさせてもよい。すなわち、火災受信機５又は総合操作盤に支援情報を記憶させ、携帯端末７との間でデータ同期を行わせてもよい。また、イベント情報を携帯端末７に送信させ、携帯端末７から各種報告を受け付けさせてもよい。
【符号の説明】
【００５９】
１…防災システム、２…自動火災報知設備、３…防災支援システム、４…煙感知器、５…火災受信機、６…支援サーバ、７…携帯端末、８…本部端末、９…通信回線、６１…プロセッサ、６２…揮発性メモリ、６３…不揮発性メモリ、６４…ネットワークカード、７１…プロセッサ、７２…揮発性メモリ、７３…不揮発性メモリ、７４…ネットワークカード、７５…ディスプレイ、７６…タッチパネル、７７…カメラ、６１１…イベント通知部、６１２…報告受付部、６１３…同期部、７１１…情報更新部、７１２…表示制御部、７１３…報告部、Ａ…ステータスバー、Ｂ…メニューボタン、Ｃ…更新ボタン、Ｄ…利用者情報、Ｅ…行動リスト、Ｆ１、Ｆ２…タスクフロー、Ｇ…バー画像、Ｈ…アイコンタブ、Ｊ…活動情報、Ｋ…メインメニュー、Ｌ…閉じるボタン、Ｍ…操作項目、Ｎ…フロアマップ、Ｐ…報告方法選択ボタン、Ｑ…隊員リスト
【図１】
2020116042.tif 000003
【図２】
2020116042.tif 000004
【図３】
2020116042.tif 000005
【図４】
2020116042.tif 000006
【図５】
2020116042.tif 000007
【図６】
2020116042.tif 000008
【図７】
2020116042.tif 000009
【図８】
2020116042.tif 000010
【図９】
2020116042.tif 000011